(57)【要約】      （修正有）【課題】投げ釣り用天秤おもりを回収する時海底を引きずるのではなく浮上させて回収することで損失を減らすことが出来る天秤おもりの提供。【解決手段】流線形のおもり２の前方先端から後方先端まで中心に直線状に溝６を形成し溝の中にＬ字形の超硬ステンレス線棒の天秤３を設置しその上にプラスチック製羽根４を接着剤をつけて乗せ固化する前におもり２の溝を左右両側から圧着させ超硬ステンレス線棒８と羽根４が垂直になるようにおもりに固定する。超硬ステンレス線棒１０の先端ガイド９が道糸によって巻き上げられると超硬ステンレス線棒１０が弾性バネ作用により湾曲にたわみ、おもりの前方部が上向きになり道糸を巻き上げると海面上に浮上して滑走するため海底の障害物を避ける事で根掛かりによる損失を防げる。【選択図】図１
2020022422.tif 000002
【特許請求の範囲】
【請求項１】
次の（１）（２）（３）（４）の要件を備えたことを特徴とする投げ釣り用天秤おもり。
（１）先端部から後端部まで直線状の溝が形成された前後方向に長いおもり。
（２）先端にハリス用ガイドが設けられたハリス用アーム部及び先端に道糸用ガイドが設けられた道糸用アーム部を有するＬ字形の超硬ステンレス線材（線棒）。
（３）おもりの溝に入れられる取り付け部を有する羽根。
（４）前記超硬ステンレス線材（線棒）はハリス用アーム部がおもりと垂直となりおもりの後端部に位置するようにおもりの溝に入れられ羽根の取り付け部は超硬ステンレス線材（線棒）の上からおもりの溝に入れられていておもりの溝は超硬ステンレス線材（線棒）及び羽根の取り付け部がおもりに固定されるよう接着剤を介してつぶされていること。
【発明の詳細な説明】
【技術分野】
【０００１】本発明はおもりに超硬ステンレス線材（線棒）を入れた投げ釣り用天秤おもりに関する。
【背景技術】
【０００２】  投げ釣り用の天秤は多種多様があり釣り糸とおもりを付けるだけの物やおもりとアームが一体となっているルアーと呼ばれている物（特許文献１）など各種ありますが、いずれも海底を引きずるように回収するために海藻や岩石などの障害物に根掛かりしてしまう事が多い。【０００３】  また、特許文献２に記載されている投げ釣り用天秤おもりは浮きとおもりが一体でそのおもりの左右両側に水平翼が設けられおもり前端にＬ字形の天秤がある投げ釣り用天秤おもりであるがハリス用アームがおもりの前端に設けられているためハリスがおもりに絡みやすい。また一般的に投げ釣り用のおもりは遠くに投げるため１０号重量３７．５グラムから１５号５６．３グラムのおもりを使用するため記載されている浮きとおもりを円錐流線形状でおもりの前端に垂直に設置されているハリス用アーム側のおもり前端を海中着底時に上向きに変動させるには浮力が足りず浮きを数拾倍の大きさにしなければ不可能である。
【先行技術文献】
【特許文献】
【０００４】
【特許文献１】特開２０１６−１５０００３号  公報
【特許文献２】特開２００６−１４１３８３号  公報
【発明の概要】
【発明が解決しようとする課題】
【０００５】  投げ釣り用天秤おもりを回収する時に根掛かりするという問題が多々ある。【０００６】  本発明は海底を引きずるのではなく浮上させて回収することで損失を減らすことを目的とした発明である。
【問題を解決するための手段】
【０００７】本発明は道糸用アーム及びハリス用アームを有するＬ字形の超硬ステンレス材（線棒）の道糸用アームがおもりの前方端部に位置しハリス用アームがおもりの後方端部に垂直に位置するように、おもりの溝に入れこの超硬ステンレス材（線棒）の上からプラスチック製の羽根を溝内に入れそれらが圧着固定されて一体となっており道糸用ガイドのある超硬ステンレス線棒は弾性バネ作用を有効利用するために細めでやや長めの形状で形成される。本発明では浮きは設けずハリス用アームはおもりの後端に設け超硬ステンレス線棒の弾性バネ作用を利用している。また羽根はおもりの上面よりやや上に内角１２０度の２枚羽根を設けその中心部にあるパイプ部には夜釣り用の集魚光として発光体のケミカル棒を挿入できる。おもりの底部は海中着底時に羽根付き天秤おもりが安定するよう平坦になっている。
【発明の効果】
【０００８】本発明は超硬ステンレス線棒の弾性バネ作用を利用していて道糸をリールで巻き上げると道糸用ガイドを起点におもりに重量があるため超硬ステンレス線棒が湾曲にたわみ道糸側が上向きになる。
【０００９】やや早めに巻き上げると垂直に付いているハリス用超硬ステンレス線棒とハリスが水の抵抗を受け羽根付き天秤おもりがさらに上向きになり海面上に浮上するために海底の障害物を避ける事ができる。
【図面の簡単な説明】
【００１０】
【図１】  本発明に係る投げ釣り用天秤おもりの側面図である。
【図２】  投げ釣り用天秤おもりの平面図である。
【図３】  投げ釣り用天秤おもりの正面図である。
【図４】  投げ釣り用天秤おもりの使用状態を説明するための図である。
【発明を実施するための形態】
【００１１】以下図面を用いて本発明の実施の形態を説明する。
【００１２】まず、図１〜図３により本発明に係る投げ釣り用天秤おもりの構成を説明する。
【００１３】投げ釣り用天秤おもり１は、なまり製のおもり２と、このおもり２に取り付けられたＬ字形の超硬ステンレス線棒である天秤３と、天秤３とともにおもり２に取り付けられたプラスチック製の羽根４とを備えている。
【００１４】なまり製のおもり２は前後方向に長く形成され底面５は投げ釣り用天秤おもり１を安定して置きやすくするために平坦な面に形成され上面には前後方向全長にわたって延びるように溝６が設けられている。
【００１５】超硬ステンレス線材製の天秤３は先端にハリス用ガイド７を有するハリス用アーム８と先端に道糸用ガイド９を有する道糸用アーム１０とを有し道糸用アーム１０の後部をおもり２の溝６内に入れることによりおもり２に取り付けられている。ハリス用アーム８はおもり２の後方からおもり２と垂直に立ち上がり、道糸用アーム１０は、おもり２の前方に水平に突出して延びている。なお羽根４の中心にはパイプ部１１が設けられていてこのパイプ部１１には蛍光色に発光する棒状体１２（発光体ケミカル棒）を挿入することができる。また、おもりは海中着底時に羽根付き天秤おもりが安定するようにおもりの底部は平坦になっている。
【実施例】
【００１６】図４は海底から道糸をリールで巻き上げている時の羽根付き天秤おもり１の形態を示している。【００１７】道糸１３を巻き上げると超硬ステンレス線棒１０はおもりに重量があるため弾性バネ作用により湾曲にたわみ羽根付き天秤おもり１の前方を上向きにする。【００１８】リールをやや早めに巻き上げると後方に垂直に設けられた超硬ステンレス線棒８とハリス１４が水の抵抗を受けて、より上向きになりリールを巻き続けると羽根付き天秤おもり１は素早く浮上し海面上を滑走しながら回収する事ができる。【００１９】羽根４はパイプ部１１と、このパイプ部１１の周りに等間隔で３枚設けられた羽根部があり、１つの羽根部がおもり２に取り付けられるように形状されていておもり２の上面よりやや上に他の２枚の羽根がありその内角は１２０度の角度が設けられ浮上しやすい形状になっている。【００２０】夜釣りには２枚羽根の中心にパイプ部１１が設けられていて発光するケミカル棒を挿入して集魚光とすることができる。
【符号の説明】１    投げ釣り用天秤おもり
２    なまり製のおもり
３    Ｌ字形の超硬ステンレス線棒の天秤
４    プラスチック製の羽根
５    なまり製おもりの底面
６    おもりの上面全長からおもりの中心部まで形成された溝
７    ハリス用ガイド
８    ハリス用アーム
９    道糸用ガイド
１０  道糸用アーム
１１  パイプ形状体
１２  発光体ケミカル棒
１３  道糸
１４  ハリス
【図１】
2020022422.tif 000003
【図２】
2020022422.tif 000004
【図３】
2020022422.tif 000005
【図４】
2020022422.tif 000006
【手続補正書】
【提出日】平成31年2月25日(2019.2.25)
【手続補正１】
【補正対象書類名】特許請求の範囲
【補正対象項目名】全文
【補正方法】変更
【補正の内容】
【特許請求の範囲】
【請求項１】
次の（１）（２）（３）（４）の要件を備えたことを特徴とする投げ釣り用天秤おもり。
（１）先端部から後端部まで直線状の溝が形成された前後方向に長いおもり。
（２）先端にハリス用ガイドが設けられたハリス用アーム部及び先端に道糸用ガイドが設けられた道糸用アーム部を有するＬ字形の超硬ステンレス線材。
（３）おもりの溝に入れられる取り付け部を有する羽根。
（４）前記超硬ステンレス線材は道糸用アーム部がおもりの前後方向と平行になり、道糸用アーム部の道糸用ガイド側がおもりの先端部から突出するように、かつ、ハリス用アーム部がおもりの前後方向に対して垂直となっておもりの後端部に位置するようにおもりの溝に入れられ、羽根の取り付け部は超硬ステンレス線材の上からおもりの溝に入れられていて、おもりの溝は超硬ステンレス線材及び羽根の取り付け部がおもりに固定されるように圧着固定されていること。